(57)【要約】【課題】  輝度を低下させることなく色再現性を向上させることができると共に製作性の優れたプロジェクタを提供する。【解決手段】  プロジェクタ10は、光源と、該光源から射出される光源光の所定の波長域光を受けて光源光の不足波長域光を発光する蛍光体の層を有する光学素子と、光源光の可視光成分から各色の波長域光を取り出すカラーホイール71と、表示素子51と、光源光を表示素子51に導光する光源側光学系62と、表示素子51によって生成された画像をスクリーンに投影する投影側光学系90と、光源や表示素子51を制御するプロジェクタ制御手段と、を備え、光学素子が、光源と表示素子51との間における光源光の光路上に配設され、光源光と共に当該光学素子の蛍光体の層からの発光光が表示素子51に導光されるように構成されていることを特徴とする。【選択図】      図３
2010217388.tif 000002
【特許請求の範囲】
【請求項１】
光源と、
該光源から射出される光源光の所定の波長域光を受けて前記光源光の不足波長域光を発光する蛍光体の層を有する光学素子と、
前記光源光の可視光成分から各色の波長域光を取り出すカラーホイールと、
表示素子と、
前記光源光を前記表示素子に導光する光源側光学系と、
前記表示素子によって生成された画像をスクリーンに投影する投影側光学系と、
前記光源や表示素子を制御するプロジェクタ制御手段と、を備え、
前記光学素子が、前記光源と表示素子との間における前記光源光の光路上に配設され、前記光源光と共に当該光学素子の蛍光体の層からの発光光が前記表示素子に導光されるように構成されていることを特徴とするプロジェクタ。
【請求項２】
前記光学素子が、反射ミラーであることを特徴とする請求項１に記載のプロジェクタ。
【請求項３】
前記光学素子が、レンズであることを特徴とする請求項１に記載のプロジェクタ。
【請求項４】
前記光学素子が、ガラスまたは透明な樹脂の板材に前記蛍光体の層を有する構成であることを特徴とする請求項１に記載のプロジェクタ。
【請求項５】
前記光源光の所定の波長域光が、紫外波長域光であることを特徴とする請求項１乃至請求項４の何れかに記載のプロジェクタ。
【発明の詳細な説明】
【技術分野】
【０００１】
本発明は、カラーホイールを備えたプロジェクタに関する。
【背景技術】
【０００２】
今日、パーソナルコンピュータの画面やビデオ画像、更にメモリカード等に記憶されている画像データによる画像等をスクリーンに投影する画像投影装置としてのプロジェクタが多用されている。
【０００３】
このプロジェクタは、小型高輝度のメタルハライドランプや超高圧水銀ランプ等から構成される光源装置を内蔵し、この光源から射出された光源光を、光源側光学系を介してＤＭＤ（デジタル・マイクロミラー・デバイス）と呼ばれるマイクロミラー表示素子、又は、液晶板に集光させ、投影側光学系を介してスクリーン上にカラー画像を表示させるものである。
【０００４】
このようなプロジェクタにおいて、超高圧水銀ランプ等を光源とする場合、光源の発光スペクトルに偏りが存在するためプロジェクタから投影される画像の色再現性が難しいといった問題点があった。この問題点に対して一般的には、光源として超高圧水銀ランプを採用する場合、赤色成分が緑色、青色成分に比べて極端に少ないため、カラーホイールの各色フィルタの占有面積（占有角度）を等しくして信号処理で各色光の輝度を制御する方法や、赤色フィルタの占有面積を緑色、青色フィルタに対して大きく設定する方法等が採用されている。
【０００５】
しかしながら、上記方法では、各色の輝度を略等しくするために、緑色、青色フィルタから射出される光量を制限する必要があるため、色再現性は向上できるもカラーホイールからの出射光の輝度が低下してしまうといった問題点があった。
【０００６】
このような問題の解決法として、特開２００７−１５６２７０号公報（特許文献１）には、光源から射出された光源光の可視光成分から各色の波長域光を取り出すカラーホイールを備え、このカラーホイールの各色のフィルタ部分に、光源光の不可視光成分である紫外の波長域光（紫外線）を吸収することにより当該フィルタによって光源光の可視光成分から取り出される光と同色の波長域光を発光する蛍光体の層を配設する発明が提案されている。
【０００７】
この提案によれば、カラーホイールの赤色フィルタの占有面積を緑色、青色フィルタに対して大きくした場合においても、蛍光体層からの発光光をカラーフィルタによって取り出される各色光に重畳させて利用することができるため、各色光の輝度を向上させて投影画像の色バランスや明るさを良好とすることのできるプロジェクタを提供することができる。
【先行技術文献】
【特許文献】
【０００８】
【特許文献１】特開２００７−１５６２７０号公報
【発明の概要】
【発明が解決しようとする課題】
【０００９】
特許文献１の提案では、不要光とされていた紫外の波長域光から変換した各色光をフィルタによって光源光の可視光成分から取り出された各色光に重畳させることにより、色再現性と輝度を向上させることができるが、光源の不足波長域光である赤色光を補うためには、依然としてカラーホイールの赤色フィルタの占有面積を大きくするなどして、各色フィルタの占有面積を夫々異なるように形成する必要があるため、製作効率が悪いといった問題点があった。
【００１０】
本発明は、このような従来技術の問題点に鑑みてなされたものであり、光源と表示素子との間における光源光の光路上に、蛍光体の層を有する光学素子を配置することで、光源光に含まれる紫外波長域光等の所定の波長域光を蛍光体によって変換させて、所望する波長域光の発光における光源光の不足波長域光を補うことができるため、輝度を低下させることなく色再現性を向上させることができると共にカラーホイールの各色フィルタの占有面積を等しくして製作効率を向上させることのできるプロジェクタを提供することを目的としている。
【課題を解決するための手段】
【００１１】
本発明のプロジェクタは、光源と、該光源から射出される光源光の所定の波長域光を受けて前記光源光の不足波長域光を発光する蛍光体の層を有する光学素子と、前記光源光の可視光成分から各色の波長域光を取り出すカラーホイールと、表示素子と、前記光源光を前記表示素子に導光する光源側光学系と、前記表示素子によって生成された画像をスクリーンに投影する投影側光学系と、前記光源や表示素子を制御するプロジェクタ制御手段と、を備え、前記光学素子が、前記光源と表示素子との間における前記光源光の光路上に配設され、前記光源光と共に当該光学素子の蛍光体の層からの発光光が前記表示素子に導光されるように構成されていることを特徴とする。
【００１２】
そして、前記光学素子は反射ミラーとすることができる。
【００１３】
又、前記光学素子はレンズとしてもよい。
【００１４】
更に、前記光学素子は、ガラスまたは透明な樹脂の板材に前記蛍光体の層を有する構成としてもよい。
【００１５】
そして、前記光源光の所定の波長域光は、紫外波長域光であることが好適である。
【発明の効果】
【００１６】
本発明によれば、光源と表示素子との間における光源光の光路上に、蛍光体の層を有する光学素子を配置することで、光源光に含まれる紫外波長域光等の所定の波長域光を蛍光体によって変換させて、所望する波長域光の発光における光源光の不足波長域光を補うことができるため、輝度を低下させることなく色再現性を向上させることができると共にカラーホイールの各色フィルタの占有面積を等しくして製作効率を向上させることのできるプロジェクタを提供することができる。
【図面の簡単な説明】
【００１７】
【図１】本発明の実施例に係るプロジェクタの外観を示す斜視図である。
【図２】本発明の実施例に係るプロジェクタの機能回路ブロックを示す図である。
【図３】本発明の実施例に係るプロジェクタの内部構造を示す平面模式図である。
【発明を実施するための形態】
【００１８】
本発明を実施するための形態を述べる。プロジェクタ10は、光源である超高圧水銀ランプと、該光源から射出される光源光における紫外波長域光を受けて吸収することにより、所望する波長域光の発光における光源光の不足波長域光である赤色波長域光を発光する赤色蛍光体の層が反射層上に形成された反射ミラー72と、光源光の可視光成分から光の三原色である赤色、緑色、青色の波長域光を取り出す三種類の扇形形状のカラーフィルタが円周方向に隣接されることにより円盤状に形成されるカラーホイール71と、表示素子51と、光源光を表示素子51に導光する光源側光学系62と、表示素子51によって生成された画像をスクリーンに投影する投影側光学系90と、光源や表示素子51を制御するプロジェクタ制御手段と、を備えている。
【００１９】
又、このプロジェクタ10は、この反射ミラー72が、光源と表示素子51との間における光源光の光路上に配設され、カラーホイール71によって光源光の可視光成分から取り出された各色光と共に当該反射ミラー72の蛍光体の層からの発光光が表示素子51に導光されるように構成されている。
【実施例】
【００２０】
以下、本発明の実施例を図に基づいて詳説する。図１は、プロジェクタ10の外観斜視図である。尚、本実施例において、左右とは投影方向に対しての左右方向を示し、前後とは光線束の進行方向に対しての前後方向を示す。プロジェクタ10は、図１に示すように、略直方体形状であって、本体ケースの前方の側板とされる正面パネル12の側方に投影口を覆うレンズカバー19を有すると共に、この正面パネル12には複数の排気孔17を設けている。更に、図示しないがリモートコントローラからの制御信号を受信するＩｒ受信部を備えている。
【００２１】
又、本体ケースである上面パネル11にはキー／インジケータ部37が設けられ、このキー／インジケータ部37には、電源スイッチキーや電源のオン又はオフを報知するパワーインジケータ、投影のオン、オフを切りかえる投影スイッチキー、光源装置や表示素子又は制御回路等が過熱したときに報知をする過熱インジケータ等のキーやインジケータが配置されている。
【００２２】
更に、本体ケースの背面には、背面パネルにＵＳＢ端子や画像信号入力用のＤ−ＳＵＢ端子、Ｓ端子、ＲＣＡ端子等を設ける入出力コネクタ部及び電源アダプタプラグ等の各種端子20が設けられている。尚、図示しない本体ケースの側板である右側パネル14、及び、図１に示した側板である左側パネル15の下部近傍には、各々複数の吸気孔18が形成されている。
【００２３】
次に、プロジェクタ10のプロジェクタ制御手段について図２のブロック図を用いて述べる。プロジェクタ制御手段は、制御部38、入出力インターフェース22、画像変換部23、表示エンコーダ24、表示駆動部26等から構成され、入出力コネクタ部21から入力された各種規格の画像信号は、入出力インターフェース22、システムバス（ＳＢ）を介して画像変換部23で表示に適した所定のフォーマットの画像信号に統一するように変換された後、表示エンコーダ24に出力される。
【００２４】
又、表示エンコーダ24は、入力された画像信号をビデオＲＡＭ25に展開記憶させた上でこのビデオＲＡＭ25の記憶内容からビデオ信号を生成して表示駆動部26に出力する。
【００２５】
表示駆動部26は、表示エンコーダ24から出力された画像信号に対応して適宜フレームレートで空間的光変調素子（ＳＯＭ）である表示素子51を駆動するものであり、光源装置63から射出された光線束を光源側光学系を介して表示素子51に入射することにより、表示素子51の反射光で光像を形成し、投影側光学系とする投影系レンズ群を介して図示しないスクリーンに画像を投影表示する。尚、この投影側光学系の可動レンズ群97は、レンズモータ45によりズーム調整やフォーカス調整のための駆動が行われる。
【００２６】
又、画像圧縮伸長部31は、画像信号の輝度信号及び色差信号をＡＤＣＴ及びハフマン符号化等の処理によりデータ圧縮して着脱自在な記録媒体とされるメモリカード32に順次書き込む記録処理を行なう。更に、画像圧縮伸長部31は、再生モード時にメモリカード32に記録された画像データを読み出し、一連の動画を構成する個々の画像データを１フレーム単位で伸長し、この画像データを画像変換部23を介して表示エンコーダ24に出力し、メモリカード32に記憶された画像データに基づいて動画等の表示を可能とする処理を行なう。
【００２７】
制御部38は、プロジェクタ10内の各回路の動作制御を司るものであって、ＣＰＵや各種セッティング等の動作プログラムを固定的に記憶したＲＯＭ及びワークメモリとして使用されるＲＡＭ等により構成されている。
【００２８】
本体ケースの上面パネル11に設けられるメインキー及びインジケータ等により構成されるキー／インジケータ部37の操作信号は、直接に制御部38に送出され、リモートコントローラからのキー操作信号は、Ｉｒ受信部35で受信され、Ｉｒ処理部36で復調されたコード信号が制御部38に出力される。
【００２９】
尚、制御部38にはシステムバス（ＳＢ）を介して音声処理部47が接続されている。この音声処理部47は、ＰＣＭ音源等の音源回路を備えており、投影モード及び再生モード時には音声データをアナログ化し、スピーカ48を駆動して拡声放音させる。
【００３０】
又、制御部38は、電源制御回路41を制御しており、この電源制御回路41は、電源スイッチキーが操作されると光源装置63の光源である放電ランプを点灯させる。更に、制御部38は、冷却ファン駆動制御回路43に光源装置63等に設けた複数の温度センサによる温度検出を行わせ、この温度検出の結果から冷却ファンの回転速度を制御させている。又、制御部38は、冷却ファン駆動制御回路43にタイマー等により光源装置63の放電ランプ消灯後も冷却ファンの回転を持続させ、更に、温度センサによる温度検出の結果によっては光源装置63を停止してプロジェクタ本体の電源をＯＦＦにする等の制御も行う。
【００３１】
次に、このプロジェクタ10の内部構造について述べる。図３は、プロジェクタ10の内部構造を示す平面模式図である。プロジェクタ10は、図３に示すように、右側パネル14の近傍に電源回路ブロック101等を取付けた電源制御回路基板102が配置され、略中央にはシロッコファンタイプのブロア110が配置され、このブロア110の近傍に制御回路基板103が配置され、正面パネル12の近傍には光源装置63が配置され、左側パネル15の近傍には光学系ユニット70が配置されている。又、プロジェクタ10は、筐体内を区画用隔壁120により背面パネル13側の吸気側空間室121と正面パネル12側の排気側空間室122とに気密に区画されており、ブロア110は、吸込み口111が吸気側空間室121に位置し排気側空間室122と吸気側空間室121の境界に吐出口113が位置するように配置されている。
【００３２】
光学系ユニット70は、光源装置63の近傍に位置する照明側ブロック78と、背面パネル13側に位置する画像生成ブロック79と、照明側ブロック78と左側パネル15との間に位置する投影側ブロック80との３つのブロックから構成された略コの字形状である。
【００３３】
この照明側ブロック78は、光源装置63から射出された光を画像生成ブロック79が備える表示素子51に導光する光源側光学系62の一部を備えている。この照明側ブロック78が有する光源側光学系62としては、光源装置63から射出された光線束を均一な強度分布の光束とする導光装置75や、導光装置75を透過した光を集光する集光レンズ等がある。
【００３４】
画像生成ブロック79は、光源側光学系62として、導光装置75から射出された光線束の光軸方向を変更する光軸変換ミラー74と、この光軸変換ミラー74により反射した光を表示素子51に集光させる複数枚の集光レンズと、これらの集光レンズを透過した光線束を表示素子51に所定の角度で照射する照射ミラー84と、を有している。更に、画像生成ブロック79は、表示素子51とするＤＭＤを備え、この表示素子51の背面パネル13側には表示素子51を冷却するための表示素子冷却装置53が配置されて、表示素子51が高温となることを防止している。
【００３５】
投影側ブロック80は、表示素子51で反射されて画像を形成する光をスクリーンに放出する投影側光学系90のレンズ群を有している。この投影側光学系90としては、固定鏡筒に内蔵する固定レンズ群93と可動鏡筒に内蔵する可動レンズ群97とを備えてズーム機能を備えた可変焦点型レンズとされ、レンズモータにより可動レンズ群97を移動させることによりズーム調整やフォーカス調整を可能としている。
【００３６】
又、プロジェクタ10の内部構造において、吸気側空間室121内には光源装置63と比較して低温である部材が配置されるものであり、具体的には、電源制御回路基板102と、ブロア110と、制御回路基板103と、光学系ユニット70の画像生成ブロック79と、光学系ユニット70の投影側ブロック80と、光学系ユニット70の照明側ブロック78における集光レンズと、が配置されている。
【００３７】
一方、排気側空間室122内には、比較的高温となる光源装置63と、光学系ユニット70の照明側ブロック78が備える導光装置75と、排気温低減装置114とが配置されている。
【００３８】
そして、本発明に係る光源装置63は、内面に反射面とする反射膜を有し前方に開口部を有したリフレクタと、このリフレクタの内部に内蔵する光源として超高圧水銀ランプなどの放電ランプとを有したものである。この放電ランプの発光スペクトルは、赤色の波長域成分が緑色、青色の波長域成分に比べて小さい。つまり、この光源から射出される光源光は、赤色の波長域光が不足している。
【００３９】
そして、この光源装置63の出射方向には反射ミラー72が配置され、更に、反射ミラー72の出射方向には当該反射ミラー72によって反射された光源光の可視光成分から光の三原色である赤色、緑色、青色の波長域光を取り出すカラーホイール71が配置されている。又、この反射ミラー72とカラーホイール71は、光源側光学系62を構成する光学素子であって、光源装置63から射出された光源光が当該反射ミラー72によって反射され、カラーホイール71のフィルタを透過した各色の波長域光が前述の導光装置75に入射されるように配置されている。
【００４０】
このカラーホイール71は、光学ガラスの表面に赤色、緑色、青色のフィルム層が蒸着された三種類の扇形形状のカラーフィルタが円周方向に隣接されることにより円盤状に形成されているものである。具体的には、赤色フィルタは、照射される光の赤色波長域光のみを透過して、その他の波長域光は反射するように形成されている。同様に緑色フィルタは、緑色波長域光のみを透過し、青色フィルタは、青色波長域光のみを透過するように形成されている。
【００４１】
又、このカラーホイール71は、赤色、緑色、青色の各フィルタが等分割された同面積を有するフィルタによって構成されている。そして、このカラーホイール71は、制御部38によって駆動制御されるホイールモータによって、毎秒約１２０回などの回転速度で回転することにより、光源装置63から射出されホイール面の外周部近傍に照射される光源光の可視光成分から順次赤色、緑色、青色の波長域光を取り出すことができるようになっている。
【００４２】
そして、光源装置63とカラーホイール71との間における光源光の光路上に配設される反射ミラー72の反射層の上には、光源から射出される光源光に含まれる紫外波長域光を受けて吸収することにより、光源光の不足波長域光である赤色波長域光を発光する赤色蛍光体を含有する蛍光体層が形成されている。
【００４３】
この赤色蛍光体層は、均一に分散された硼酸カドミウム（Ｃｄ２Ｂ２Ｏ５）や酸化イットリウム（Ｙ２Ｏ3）等の赤色蛍光体と、この蛍光体を担持するバインダから構成され、紫外波長域光を受けて赤色の波長域光を発光する。
【００４４】
したがって、光源装置63の光源から光源光が反射ミラー72に照射されると、反射ミラー72の蛍光体層の蛍光体が光源光に含まれる紫外の波長域光を吸収して励起されることにより、赤色波長域光を発光する。
【００４５】
これにより、反射ミラー72から射出される光は、光源光に蛍光体の発光光である赤色光が重畳した合成光とされることとなる。つまり、反射ミラー72からの出射光は、光源光の不足波長域光である赤色光が補われた白色光としてカラーホイール71の赤色、緑色、青色の各色フィルタに照射されることにより、各フィルタからは各色光が略均一の強度で射出されることとなる。
【００４６】
したがって、カラーホイール71によって光源光の可視光成分から取り出された赤色光と共に反射ミラー72の赤色蛍光体の層からの赤色発光光が導光装置75に入射され、導光装置75に入射された光線束は光源側光学系62を介して表示素子51に導光されることとなる。
【００４７】
そして、カラーホイール71の回転によって時分割される各色光に対応して表示素子51が表示駆動部26によって時分割制御されることにより、表示素子51によって生成された画像を投影側光学系90を介してスクリーンに投影することができる。
【００４８】
このように、光源とカラーホイール71との間における光源光の光路上に、蛍光体の層を有する反射ミラー72を配置することで、光源光に含まれる紫外波長域光を蛍光体によって変換させて光源光の不足波長域光を補うことができるため、輝度を低下させることなく投影画像の色再現性を向上させることができる。
【００４９】
又、カラーホイールの各色フィルタの占有面積を等しくして同一形状とすることができるため、製作効率を向上させることのできるプロジェクタを提供することができる。更に、光源光に含まれる不要光である紫外の波長域光を利用して、不足波長域光を補うことができるため、光源光の利用効率を高めることができる。
【００５０】
そして、本発明は、以上の実施例に限定されるものでなく、発明の要旨を逸脱しない範囲で自由に変更、改良が可能である。例えば、蛍光体層を有する光学素子については、反射ミラー72に蛍光体層を具備させる場合に限定することなく、光源装置63とカラーホイール71との間において導光装置75に光源光を集光させるレンズを配置する場合には、このレンズの表面に蛍光体の層を形成することもできる。又、蛍光体層を有する光学素子は、光源光の光路上に配置される、ガラスや透明な樹脂などの板材に蛍光体層を具備するものでも構わない。又、この蛍光体の層は、カラーホイール71の光源光入射面に形成させることでも、前述と同様、輝度を低下させることなく色再現性を向上させることができる。このように、様々な光学素子に蛍光体の層を具備させることで、新たな部品を設けることなく、容易に色再現性の向上が図れる。
【００５１】
尚、反射ミラー72の反射層上に蛍光体の層を設けることで、光学素子である反射ミラー72の反射層側に射出された蛍光体の発光光をカラーホイール71側に射出して蛍光体の発光光の利用効率を向上させることができるため好適である。
【００５２】
又、この蛍光体層を具備する光学素子は、カラーホイール71と表示素子51との間に配置することもできる。この場合、カラーホイール71を構成する赤色フィルタは、赤色の波長域光のみならず紫外波長域光を透過するように形成し、緑色及び青色フィルタは前述と同様に緑色及び青色の波長域光のみを透過し紫外波長域光を含むその他の波長域光を反射するように形成する。
【００５３】
これにより、カラーホイール71の緑色及び青色フィルタに光源光が照射されたときは、緑色及び青色フィルタからは緑色及び青色波長域の光のみが出射されて表示素子51に導光される。そして、カラーホイール71の赤色フィルタに光源光が照射されたときは、赤色フィルタからは赤色波長域光と紫外波長域光が出射されて、カラーホイール71と表示素子51との間に配置される光学素子の蛍光体層によって紫外波長域光が赤色波長域光に変換されることとなる。つまり、カラーホイール71の赤色フィルタに光源光が照射されたときは、赤色フィルタから出射された赤色光に蛍光体からの赤色発光光を重畳させて表示素子51に導光させることができるため、前述と同様に色再現性の向上を図ることができる。
【００５４】
即ち、蛍光体層を具備する光学素子は、光源装置63の光源とカラーホイール71との間における光源光の光路上に配置する場合に限定されることなく、カラーホイール71と表示素子51との間における光源光の光路上に配置することでも、前述と同様に、投影画像の色再現性を向上させることができる。したがって、例えば、図３に示した照明側ブロック78のレンズや光軸変換ミラー74、導光装置75などの光学素子に蛍光体層を具備させることもでき、又、カラーホイール71の赤色フィルタ部分の出射面に赤色蛍光体層を形成することもできるため、プロジェクタ10の設計自由度を向上させることができる。
【００５５】
そして、蛍光体層の蛍光体は、赤色蛍光体に限定されることなく、光源光の不足波長域光を発光可能な様々な蛍光体を採用することができる。例えば、光源光における不足波長域光が緑色波長域成分であれば、光源光の紫外波長域光を吸収して緑色波長域光を発光する蛍光体を採用することで、光源光の利用効率を向上させ輝度を低下させることなく色再現性の向上を図ることができる。同様に、光源光の発光スペクトルにおいて赤色と緑色の波長域光が共に不足していれば、赤色と緑色蛍光体を混合させた蛍光体層を光源と表示素子51との間における光源光の光路上に配設される光学素子に設けることで前述と同様の効果を奏する。
【００５６】
又、蛍光体層の蛍光体は、紫外波長域光を吸収するものに限るものでもなく、カラーホイール71の各色フィルタで反射される紫色の波長域光や、光源光の余剰波長域光を吸収することにより不足波長域光を発光する蛍光体としてもよい。
【符号の説明】
【００５７】
10  プロジェクタ                            11  上面パネル
12  正面パネル                              13  背面パネル
14  右側パネル                              15  左側パネル
17  排気孔                                  18  吸気孔
19  レンズカバー                            20  各種端子
21  入出力コネクタ部                        22  入出力インターフェース
23  画像変換部                              24  表示エンコーダ
25  ビデオＲＡＭ                            26  表示駆動部
31  画像圧縮伸長部                          32  メモリカード
35  Ｉｒ受信部                              36  Ｉｒ処理部
37  キー／インジケータ部                    38  制御部
41  電源制御回路                            43  冷却ファン駆動制御回路
45  レンズモータ                            47  音声処理部
48  スピーカ                                51  表示素子
53  表示素子冷却装置                        62  光源側光学系
63  光源装置                                70  光学系ユニット
71  カラーホイール                          72  反射ミラー
74  光軸変換ミラー                          75  導光装置
78  照明側ブロック                          79  画像生成ブロック
80  投影側ブロック                          84  照射ミラー
90  投影側光学系                            93  固定レンズ群
97  可動レンズ群                           101  電源回路ブロック
102  電源制御回路基板                       103  制御回路基板
110  ブロア                                 111  吸込み口
113  吐出口                                 114  排気温低減装置
120  区画用隔壁                             121  吸気側空間室
122  排気側空間室
【図１】
2010217388.tif 000003
【図２】
2010217388.tif 000004
【図３】
2010217388.tif 000005